【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
面内磁界ベースの非接触送信機であって、
基板と、
前記基板上に配置され、第２のダイポールコイルと対にされた第１のダイポールコイルを備える、ダイポールコイルの対と、
ダイポールコイルの前記対に電気的に結合された、第２の基板上に配置された磁気トンネル接合（ＭＴＪ）受信機と同一面内に磁界を生成するために、前記第１のダイポールコイルを第１の磁界内で、前記第２のダイポールコイルを前記第１の磁界と実質的に反対の第２の磁界内で駆動するように構成された、駆動回路と、
を備え、
前記駆動回路は、論理入力を受信するように構成され、前記論理入力の前記論理状態が第１の論理値を有することに応答して、前記第１の磁界が前記第２の基板から離れる向きに向けられ、前記第２の磁界が前記第２の基板に向かう向きに向けられるように、前記第１のダイポールコイルを前記第１の磁界内で、前記第２のダイポールコイルを前記第２の磁界内で駆動するように構成され、
前記駆動回路は、前記論理入力の前記論理状態が第２の論理値を有することに応答して、前記第１の磁界が前記第２の基板に向かう向きに向けられ、前記第２の磁界が前記第２の基板から離れる向きに向けられるように、前記第１のダイポールコイルを前記第１の磁界内で、前記第２のダイポールコイルを前記第２の磁界内で駆動するようにさらに構成される、
面内磁界ベースの非接触送信機。
【請求項２】
前記駆動回路は、前記論理入力の前記論理状態が第３の論理値を有することに応答して、前記第１のダイポールコイルを前記第１の磁界内で駆動せず、前記第２のダイポールコイルを前記第２の磁界内で駆動しないようにさらに構成される、請求項１に記載の面内磁界ベースの非接触送信機。
【請求項３】
前記基板上に配置され、第４のダイポールコイルと対にされた第３のダイポールコイルを備える、ダイポールコイルの第２の対と、
ダイポールコイルの前記第２の対に電気的に結合された、前記第２の基板上に配置された第２の磁気トンネル接合（ＭＴＪ）受信機と同一面内に第２の磁界を生成するために、前記第３のダイポールコイルを第３の磁界内で、前記第４のダイポールコイルを前記第３の磁界と実質的に反対の第４の磁界内で駆動するように構成された、第２の駆動回路と
をさらに備える、請求項１に記載の面内磁界ベースの非接触送信機。
【請求項４】
ダイポールコイルの前記対およびダイポールコイルの前記第２の対は、前記第２の基板上に配置された前記ＭＴＪ受信機と同一面内の前記磁界が、前記第２の基板上に配置された前記第２のＭＴＪ受信機と同一面内の前記第２の磁界に実質的に直交するように配置される、請求項３に記載の面内磁界ベースの非接触送信機。
【請求項５】
ダイポールコイルの前記対およびダイポールコイルの前記第２の対は、前記基板上で平面を定義するように配置され、ダイポールコイルの前記第２の対は、前記平面上でダイポールコイルの前記対に実質的に直交して配置される、請求項３に記載の面内磁界ベースの非接触送信機。
【請求項６】
前記第２の駆動回路は、第２の論理入力を受信するようにさらに構成され、前記第２の駆動回路は、前記第２のＭＴＪ受信機と同一面内の前記第２の磁界が前記第２の論理入力の論理状態に従って向けられるように、前記第３のダイポールコイルを前記第３の磁界内で、前記第４のダイポールコイルを前記第４の磁界内で駆動するように構成される、
請求項３に記載の面内磁界ベースの非接触送信機。
【請求項７】
前記第２の駆動回路は、第２の論理入力を受信するようにさらに構成され、前記第２の駆動回路は、前記第２の論理入力の論理状態が前記論理値を有することに応答して、前記第３の磁界が前記第２の基板に向かう向きに向けられ、前記第４の磁界が前記第２の基板から離れる向きに向けられるように、前記第３のダイポールコイルを前記第３の磁界内で、前記第４のダイポールコイルを前記第４の磁界内で駆動するように構成される、
請求項３に記載の面内磁界ベースの非接触送信機。
【請求項８】
前記第２の駆動回路は、前記第２の論理入力の前記論理状態が別の論理値を有することに応答して、前記第３の磁界が前記第２の基板から離れる向きに向けられ、前記第４の磁界が前記第２の基板に向かう向きに向けられるように、前記第３のダイポールコイルを前記第３の磁界内で、前記第４のダイポールコイルを前記第４の磁界内で駆動するように構成される、
請求項７に記載の面内磁界ベースの非接触送信機。
【請求項９】
前記駆動回路は、前記第１の論理入力の前記論理状態がさらに別の論理値を有することに応答して、前記第１のダイポールコイルを前記第１の磁界内で、前記第２のダイポールコイルを前記第２の磁界内で、駆動しないようにさらに構成され、
前記第２の駆動回路は、前記第２の論理入力の前記論理状態がさらに別の論理値を有することに応答して、前記第３のダイポールコイルを前記第３の磁界内で、前記第４のダイポールコイルを前記第４の磁界内で、駆動しないようにさらに構成される、
請求項８に記載の面内磁界ベースの非接触送信機。
【請求項１０】
ダイポールコイルの前記対は、前記第１の磁界が前記第２の基板に向かう向きに向けられ、前記第２の磁界が前記第２の基板から離れる向きに向けられることの結果として、前記磁界が同一面内で第１の方向で生成されるように、および、前記第１の磁界が前記第２の基板から離れる向きに向けられ、前記第２の磁界が前記第２の基板に向かう向きに向けられることの結果として、前記磁界が同一面内で第２の方向で生成されるように、前記基板上に配置され、前記第１の方向は、前記ＭＴＪ受信機と同一面内の軸に沿い、前記第２の方向も、前記ＭＴＪ受信機と同一面内の前記軸に沿い、前記第２の方向は、前記軸に沿って前記第１の方向と実質的に反対である、
請求項１に記載の面内磁界ベースの非接触送信機。
【請求項１１】
前記第１のダイポールコイルは、前記第１の磁界が第１の中心軸に沿って配向されるように、前記第１の中心軸の回りに巻かれ、
前記第２のダイポールコイルは、前記第２の磁界が第２の中心軸に沿って配向されるように、前記第２の中心軸の回りに巻かれる、
請求項１に記載の面内磁界ベースの非接触送信機。
【請求項１２】
前記磁界は、前記第２の基板上の前記ＭＴＪ受信機と同一面内で他の軸に沿って生成され、
ダイポールコイルの前記対は、前記第１の中心軸および前記第２の中心軸が前記他の軸と交差するように位置決めされる、
請求項１１に記載の面内磁界ベースの非接触送信機。
【請求項１３】
前記磁界は、前記第２の基板上の前記ＭＴＪ受信機と同一面内で他の軸に沿って生成され、
ダイポールコイルの前記対は、前記第１の中心軸および前記第２の中心軸が前記他の軸と実質的に直交するように位置決めされる、
請求項１１に記載の面内磁界ベースの非接触送信機。
【請求項１４】
ダイポールコイルの前記対は、前記第１の磁界および前記第２の磁界が最高点を有する磁力線を生成するように配置され、ここにおいて、前記ＭＴＪ受信機と同一面内の前記磁界は、前記第２の基板上に配置される、請求項１に記載の面内磁界ベースの非接触送信機。
【請求項１５】
データを送信する面内非接触方法であって、
基板上に配置され、第２のダイポールコイルと対にされた第１のダイポールコイルを備える、ダイポールコイルの対を提供することと、
第２の基板上に配置された磁気トンネル接合（ＭＴＪ）受信機と同一面内に磁界を生成するために、前記第１のダイポールコイルを第１の磁界内で、前記第２のダイポールコイルを前記第１の磁界と実質的に反対の第２の磁界内で駆動することと、
論理入力を受信することと、
前記論理入力の前記論理状態が第１の論理値を有することに応答して、前記第１の磁界が前記第２の基板から離れる向きに向けられ、前記第２の磁界が前記第２の基板に向かう向きに向けられるように、前記第１のダイポールコイルを前記第１の磁界内で、前記第２のダイポールコイルを前記第２の磁界内で駆動することと、
前記論理入力の前記論理状態が第２の論理値を有することに応答して、前記第１の磁界が前記第２の基板に向かう向きに向けられ、前記第２の磁界が前記第２の基板から離れる向きに向けられるように、前記第１のダイポールコイルを前記第１の磁界内で、前記第２のダイポールコイルを前記第２の磁界内で駆動することと、
を備える、データを送信する面内非接触方法。